(57)【要約】【課題】火災室の煙が非火災室に侵入するのを阻止することができ、しかも火災室と非火災室間の開口部を避難者が容易且つ安全に通行することができる信頼性および安全性に優れた遮煙・排煙システムを提供する。【解決手段】火災時に、非火災室１２に空気を供給する給気設備と、火災室１１内の煙および空気を排気する開口と、火災室と非火災室間の開口部１０の予め設定された領域を閉塞する遮煙スクリーン１とを備える。上記空気の供給時には、開口部の少なくとも一部が開放されるようになっている。【選択図】図６
2006158584.tif 000002
【特許請求の範囲】
【請求項１】
第１内部空間と、上記第１内部空間に隣接し且つ上記第１内部空間との境界面に開口部を有する第２内部空間とを備えた構造物において上記第１内部空間で火災が発生した際の遮煙・排煙システムであって、
火災時に、上記第２内部空間に空気を供給する給気設備と、上記第１内部空間内の煙および空気を排気する開口と、上記開口部の予め設定された領域を閉塞する遮煙スクリーンとを備え、
上記空気の供給時には、上記開口部の少なくとも一部が開放されるようになっていることを特徴とする遮煙・排煙システム。
【請求項２】
上記遮煙スクリーンには、当該遮煙スクリーンの周縁部よりも中央部を上記第２内部空間側に膨出させた状態で保持するための骨部材が取り付けられていることを特徴とする請求項１記載の遮煙・排煙システム。
【請求項３】
上記遮煙スクリーンの下部には、避難者が通り抜け可能な大きさの切欠部が形成されていることを特徴とする請求項１記載の遮煙・排煙システム。
【請求項４】
上記開口部が完全に開放されている状態においても、上記第１内部空間と上記第２内部空間との間に、煙拡散の防止に必要な差圧が生じるように、上記空気の供給量が設定されていることを特徴とする請求項１〜３の何れかに記載の遮煙・排煙システム。
【請求項５】
上記遮煙スクリーンは、耐熱性または不燃性のシートからなり、平常時には上記開口部の一端側に設けられた収納部に収納されて上記開口部を開放し、火災時には、上記収納部から上記開口部の他端側に向けて繰り出されて、上記開口部の予め設定された領域を閉塞することを特徴とする請求項１〜４の何れかに記載の遮煙・排煙システム。
【請求項６】
火災発生を検知するための火災検知手段を備え、この火災検知手段から出力される検知信号に基づいて、上記遮煙スクリーンが収納部から繰り出されるようになっていることを特徴とする請求項１〜５の何れかに記載の遮煙・排煙システム。
【請求項７】
上記遮煙スクリーンは、牽引部材に引張られて収納部から引き出される構成となっていることを特徴とする請求項１〜６の何れかに記載の遮煙・排煙システム。
【発明の詳細な説明】
【技術分野】
【０００１】
本発明は、建物や地下鉄駅舎などの構造物において火災が発生した際に、火災室から隣接区画（非火災室）に煙が拡散するのを防止するための遮煙・排煙システムに関するものである。
【背景技術】
【０００２】
従来より、火災時に階段室や附室、廊下等に外気を供給し、それら非火災室の圧力を火災室よりも高くすることで、火災室から非火災室への煙拡散や延焼拡大を防ぐシステムが知られている。このシステムでは、火災室と非火災室との間に、煙拡散の防止に必要な差圧が生じるように給気量が設定される。
【０００３】
ところが、火災室と非火災室間の差圧は防火扉の開閉状態によって変動し、例えば、避難者により防火扉が開放されたときや、障害物や閉鎖機構の不具合により防火扉の閉鎖が不十分なときには、火災室と非火災室間の差圧が低下する。
このため、例えば、防火扉が閉鎖していることを前提にして給気量を設定した場合には、防火扉の開放時や閉鎖が不十分なときに上記必要な差圧を確保することができず、火災室から非火災室に煙が拡散する虞があった。一方、防火扉が開放されていることを前提にして給気量を設定した場合には、防火扉の閉鎖が不十分な状態であっても上記必要な差圧を確保することができる反面、防火扉の閉鎖時には、差圧が必要以上に大きくなって防火扉の開閉が困難になる懸念があった。
【０００４】
他方、煙の拡散を防止する防煙壁としては、例えば特許文献１に記載されているような巻取式可動たれ壁が知られている。この可動たれ壁は、建物の天井部に配設された巻取軸に巻き取られ下端に重錘が取り付けられた防煙シートと、防煙シートの左右端部を案内するガイドレールとを備えたもので、火災発生時には、ガイドレールに沿って防煙シートが下降することにより、２空間（火災室と非火災室）間の開口部を半閉または全閉するようになっている。
【０００５】
しかしながら、上記可動たれ壁においては、防煙シートを自重で垂直に下降させるようにしているため、例えば、上記可動たれ壁の片側の空間に外気を供給して加圧状態にすると、防煙シートに水平方向の力が作用して防煙シートがガイドレール等に引っかかり易くなり、防煙シートの下降に支障が出る虞があった。すなわち、上記可動たれ壁が本来の防煙性能を発揮できなくなる懸念があった。このため、非火災室に外気を供給して煙拡散を防止するシステムにおいて、上記可動たれ壁を適用することはできなかった。
【特許文献１】特開平０７−３２８１３８号公報
【発明の開示】
【発明が解決しようとする課題】
【０００６】
本発明は、かかる事情に鑑みてなされたもので、火災室の煙が非火災室に侵入するのを阻止することができ、しかも火災室と非火災室間の開口部を避難者が容易且つ安全に通行することができる信頼性および安全性に優れた遮煙・排煙システムを提供することを目的とする。
【課題を解決するための手段】
【０００７】
請求項１に記載の発明は、第１内部空間と、上記第１内部空間に隣接し且つ上記第１内部空間との境界面に開口部を有する第２内部空間とを備えた構造物において上記第１内部空間で火災が発生した際の遮煙・排煙システムであって、火災時に、上記第２内部空間に空気を供給する給気設備と、上記第１内部空間内の煙および空気を排気する開口と、上記開口部の予め設定された領域を閉塞する遮煙スクリーンとを備え、上記空気の供給時には、上記開口部の少なくとも一部が開放されるようになっていることを特徴とするものである。
【０００８】
ここで、上記構造物は、開口部を介して互いに連続する複数の内部空間を有する構造物であれば、地上或いは地下の如何なる構造物であってもよい。第１内部空間と第２内部空間の組合せとしては、例えば建物内の居室と避難経路（廊下、附室、階段室など）との組合せや、建物内アトリウムと通路或いは階段との組合せ、駅舎や空港などのコンコースと通路或いは階段との組合せなどが挙げられるが、開口部を介して互いに連続する内部空間の組合せであれば如何なる組合せであってもよく、また両空間の間に明確な境界（例えば、壁要素や段差等）が無くてもよい。
また、第１内部空間内の煙を排気する開口は、排煙設備の排煙口であっても、屋外に通ずる単なる開口であってもよい。また、開口は第１内部空間に配置されて第１内部空間の煙を直接排気するものであっても、他の内部空間に配置されて第１内部空間の煙を他の内部空間から排気するものであってもよい。同様に、給気設備は、第２内部空間に直接空気を供給するものであっても、他の内部空間を経由して第２内部空間に空気を供給するものであってもよい。
【０００９】
請求項２に記載の発明は、請求項１記載の遮煙・排煙システムにおいて、上記遮煙スクリーンには、当該遮煙スクリーンの周縁部よりも中央部を上記第２内部空間側に膨出させた状態で保持するための骨部材が取り付けられていることを特徴とするものである。
【００１０】
請求項３に記載の発明は、請求項１記載の遮煙・排煙システムにおいて、上記遮煙スクリーンの下部には、避難者が通り抜け可能な大きさの切欠部が形成されていることを特徴とするものである。
【００１１】
請求項４に記載の発明は、請求項１〜３の何れかに記載の遮煙・排煙システムにおいて、上記開口部が完全に開放されている状態においても、上記第１内部空間と上記第２内部空間との間に、煙拡散の防止に必要な差圧が生じるように、上記空気の供給量が設定されていることを特徴とするものである。
【００１２】
請求項５に記載の発明は、請求項１〜４の何れかに記載の遮煙・排煙システムにおいて、上記遮煙スクリーンは、耐熱性または不燃性のシートからなり、平常時には上記開口部の一端側に設けられた収納部に収納されて上記開口部を開放し、火災時には、上記収納部から上記開口部の他端側に向けて繰り出されて、上記開口部の予め設定された領域を閉塞することを特徴とするものである。
【００１３】
請求項６に記載の発明は、請求項１〜５の何れかに記載の遮煙・排煙システムにおいて、火災発生を検知するための火災検知手段を備え、この火災検知手段から出力される検知信号に基づいて、上記遮煙スクリーンが収納部から繰り出されるようになっていることを特徴とするものである。
【００１４】
請求項７に記載の発明は、請求項１〜６の何れかに記載の遮煙・排煙システムにおいて、上記遮煙スクリーンは、牽引部材に引張られて収納部から引き出される構成となっていることを特徴とするものである。
【発明の効果】
【００１５】
本発明によれば、火災時に、第２内部空間に空気を供給する給気設備と、第１内部空間内の煙および空気を排気する開口と、上記開口部の予め設定された領域を閉塞する遮煙スクリーンとを有し、上記空気の供給時には上記開口部の少なくとも一部が開放されるようになっているので、火災時には、第２内部空間から上記開口部の開放箇所を通って第１内部空間に向かう空気の流れを形成することができ、この空気の流れによって、第１内部空間の煙が第２内部空間に侵入するのを阻止することができる。また、上記空気の供給時に上記開口部の少なくとも一部を開放するようにしたので、第１内部空間と第２内部空間との間の差圧が極端に大きくなって通行が困難になるような心配はなく、避難者は、遮煙スクリーンの下方を潜り抜けたり、或いは側方を擦り抜けることによって、上記開口部を容易且つ安全に通行することができる。
【００１６】
また、遮煙スクリーンには、その周縁部よりも中央部を第２内部空間側に膨出させた状態で保持するための骨部材が取り付けられているため、第２内部空間から第１内部空間に向かう空気をスムーズに流すことができ、遮煙スクリーンに作用する気流の圧力を緩和することができる。
さらに、遮煙スクリーンの下部には、避難者が通り抜け可能な大きさの切欠部が形成されているため、避難者は速やかに上記開口部を通り抜けることができる。
【００１７】
また、開口部が完全に開放されていることを前提にして空気の供給量が設定されているため、開口部における開閉状態が如何なる状態にあっても、第１内部空間と第２内部空間との間に煙拡散や延焼拡大の防止に必要な差圧を確保することができる。したがって、例えば避難者が開口部を通過するときなど、開口部の開放箇所が一時的に拡大するようなことがあっても、第１内部空間内の煙が第２内部空間に侵入するのを阻止することができ、システムの信頼性および安全性を向上させることができる。
【００１８】
さらに、牽引部材により引張って遮煙スクリーンを引き出すようにしたので、第２内部空間から第１内部空間に向かう空気の流れを形成したとしても、従来の可動たれ壁等のように遮煙スクリーンがガイドレール等に引っかかる心配がなく、本来の防煙性能を発揮できる位置まで確実に遮煙スクリーンを下降させることができる。
【発明を実施するための最良の形態】
【００１９】
［第１の実施形態］
図１〜図５は、本発明に係る遮煙・排煙システムの第１の実施形態を示すもので、図中符号１１が第１内部空間（例えば居室）、符号１２が第２内部空間（例えば廊下）である。第１内部空間１１と第２内部空間１２の境界面には開口部１０が形成され、この開口部１０周縁の天井部には、図１および図２に示すように、遮煙スクリーン１の収納部２が設けられている。
【００２０】
遮煙スクリーン１は、耐熱性または不燃性を有するシートであれば如何なる素材のものであってもよく、具体的には、シリカクロス、ガラスクロス、グラスファイバークロス、カーボンクロス、或いはアクリル系耐炎繊維等の素材を用いることが可能である。これら素材は、耐熱性または不燃性のみならず、何れも軽量で柔軟性を有するものであるため、避難者が開口部１０を通行する際には、当該遮煙スクリーン１を容易に捲り上げることができる。
【００２１】
この遮煙スクリーン１の収納構造としては、例えば図３（ａ）に示すように、巻取装置２ａによってロール状に巻取る構造や、図３（ｂ）に示すように、収納箱２ｂ内に蛇腹状に収納する構造、或いは図４（ａ）に示すように、遮煙スクリーン１の基端部をバネやゴム等の弾性部材４で引張って遮煙スクリーン１を平面形状のまま収納する構造や、図４（ｂ）に示すように、遮煙スクリーン１を可動式ロール５で二つ折りにした状態でセットバックして収納する構造を適用することが可能である。
【００２２】
また、遮煙スクリーン１の繰り出し構造としては、例えばワイヤやケーブル等の牽引部材３を遮煙スクリーン１先端の左右隅角部等に括り付けて、それら牽引部材３を巻取装置７で巻き取ることにより引張る構造を適用することが可能である。このような構造によれば、第２内部空間１２から第１内部空間１１に向かう空気の流れを形成した場合においても、遮煙スクリーン１を予め設定された位置（例えば下端部が床面近傍に至る位置）まで確実に引き出すことが可能である。なお、左右の牽引部材３は互いに同期させて牽引することが好ましく、その同期方法としては、牽引部材３を巻き取るバネ車をシャフトで連結することにより、その動きを同期させる方法や、左右のバネ車の回転数をパルスカウンタ或いはトルクゲージ等で電気的に測定し、左右で同じ回転数になるように電動モータで調節する方法などを適用することが可能である。
【００２３】
また、第１内部空間１１の天井部には開口（図示省略）が設けられ、この開口には、当該開口より吸入した煙を屋外に導く排煙ダクトが接続されている。この排煙ダクトには、排煙ダンパが介装され、これら排煙ダンパ、排煙ダクトおよび開口等により、第１内部空間１１内の煙および空気を排気する排煙設備が構成されている。また、第１内部空間１１の天井部には、煙感知器や熱感知器等の火災検知手段が設置されている。
【００２４】
一方、第２内部空間１２には、室内に外気（空気）を供給する給気口（図示省略）が設けられている。給気口には、複数の可動式ベーンが配設され、それらベーンの傾斜角度を調整することによって空気の吹出方向が制御可能となっている。また、給気口には、平常時は閉状態とされた給気ダンパを介して給気ダクトが接続され、この給気ダクトには、上記給気口に向けて外気を送り込む給気ファンが介装されている。また、建物の制御室等には、給気ファンの回転数を制御して外気の供給量を制御する制御装置（図示省略）が設置されている。なお、外気の供給量（給気ファンの回転数）は、開口部１０が１００％開放されている状態（図１の状態）においても、煙拡散の防止に必要な差圧が第１内部空間（火災室）１１と第２内部空間（非火災室）１２との間に生じるような値に予め設定されている。本実施形態では、給気口、給気ダンパ、給気ダクト、給気ファンおよび制御装置等によって、火災時に第２内部空間１２に空気を供給する給気設備が構成されている。
【００２５】
上記構成からなる遮煙・排煙システムによれば、例えば図１に示すように、第１内部空間１１において火災が発生した際に、その火災の発生が火災検知手段によって検知され、その検知信号に基づいて牽引部材３の巻取装置７が作動して、遮煙スクリーン１が収納部２から引き出されることにより、図２に示すように、開口部１０の予め設定された領域が遮煙スクリーン１によって閉塞されることとなる（開口部１０の開口面積が縮小する）。なお、遮煙スクリーン１は、上述したように、軽量で柔軟な素材により構成されているため、遮煙スクリーン１で開口部１０のほぼ全域を覆うようにした場合においても、遮煙スクリーン１と、その左右の壁面或いは下方の床面との間には隙間Ｓが生じ、開口部１０の一部が開放された状態となる。
【００２６】
また、第１内部空間１１において火災が発生した際には、上記検知信号に基づいて、第１内部空間１１の排煙ダンパおよび第２内部空間１２の給気ダンパが開放されるとともに、制御装置によって給気ファンの作動が開始される。これにより、第２内部空間１２内に給気口から外気（空気）が供給されて、第２内部空間１２から開口部１１の開放箇所Ｓを通って第１内部空間１１に向かう空気の流れが形成される。
【００２７】
このため、本実施形態の遮煙・排煙システムによれば、上記空気の流れによって、第１内部空間１１の煙が第２内部空間１２に侵入するのを阻止することができる。また、開口部１０の一部が開放された状態となるので、第１内部空間１１と第２内部空間１２との間の差圧が極端に大きくなって通行が困難になるような心配はなく、避難者は、遮煙スクリーン１の下方を潜り抜けたり、或いは側方を擦り抜けることによって、開口部１０を容易且つ安全に通行することができる。
【００２８】
また、開口部１０が１００％開放されていることを前提にして外気の供給量が設定されているため、開口部１０における開閉状態が如何なる状態にあっても、第１内部空間１１と第２内部空間１２との間に煙拡散や延焼拡大の防止に必要な差圧を確保することができる。したがって、例えば避難者が開口部１０を通過するときなど、開放箇所Ｓが一時的に拡大するようなことがあっても、第１内部空間１１内の煙が第２内部空間１２に侵入するのを阻止することができ、システムの信頼性および安全性を向上させることができる。
【００２９】
さらに、牽引部材３により引張って遮煙スクリーン１を引き出すようにしたので、第２内部空間１２から第１内部空間１１に向かう空気の流れを形成したとしても、従来の可動たれ壁等のように遮煙スクリーン１がガイドレール等に引っかかる心配がなく、本来の防煙性能を発揮できる位置まで確実に遮煙スクリーン１を下降させることができる。
【００３０】
また、図２に示すように、開口部１０のほぼ全域を遮煙スクリーン１により覆うようにすれば、火災室の火炎や煙が非火災室から見え難くなり、非火災室の避難者に安心感を与えることができる。また、遮煙スクリーン１の非火災室側の面が外気の供給により冷却されることとなるため、遮煙スクリーン１の温度上昇を抑えることができる上に、火炎や煙からの輻射熱や対流熱を遮断することもできる。
【００３１】
なお、本実施形態では、開口部１０周縁の天井部に遮煙スクリーン１の収納部２を設置して、遮煙スクリーン１を天井部から下方向に繰り出す構成としたが、本発明はこれに限定されるものではなく、例えば開口部１０周縁の側壁部や床下部に遮煙スクリーン１の収納部を設置して、遮煙スクリーン１を水平方向或いは上方向に繰り出す構成とすることも可能である。側壁部や床下部に遮煙スクリーン１の収納部を設置する場合には、天井部に収納部を設置する場合と同様に、図５に示すように、格納スペース内に蛇腹状に収納する構造を適用することが可能である。図５の例では、遮煙スクリーン１の一端に繰出用のワイヤ９ａが、他端に緊張用のワイヤ９ｂがそれぞれ接続され、それらワイヤ９ａ，９ｂを各々の巻取装置８で巻き取ることにより、遮煙スクリーン１の繰出し動作或いは遮煙スクリーン１を緊張させる動作が行われるようになっている。この構造の場合、収納スペースの開口が避難者の通行の妨げとならないよう、遮煙スクリーン１を繰り出した後に収納スペースの開口を蓋６で閉塞する構造とすることが望ましい。さらに、側壁部或いは床下部収納では、遮煙スクリーン１を引き出したときに上部にも隙間ができる可能性があるので、その隙間を閉塞するために１００ｍｍ程度の仕切板を設けることが好ましい。
【００３２】
［第２の実施形態］
図６および図７は、本発明に係る遮煙・排煙システムの第２の実施形態を示すもので、上述した第１の実施形態と同一構成部分については、同一符号を付してその説明を簡略化する。
上記第１の実施形態では、第１内部空間１１が建物の居室、第２内部空間１２が廊下や附室等である場合を想定していたのに対して、この第２の実施形態では、第１内部空間１１と第２内部空間１２が、連続した複数の区画（区画Ｓ１，Ｓ２，・・・Ｓｎ）からなる長距離空間の中の互いに隣接する２区画（例えば、区画Ｓ５とＳ６）である場合を想定している。
【００３３】
この第２の実施形態においては、図６（ａ）に示すように、遮煙スクリーン１の幅方向に亘って水平に、複数の骨部材２１が一定の間隔で取り付けられている。この骨部材２１は、図６（ｂ）および図６（ｃ）に示すように、緩やかに湾曲した形状或いは両端部が斜めに折曲した形状となっていて、何れも中央部が第２内部空間１２側に凸となるように遮煙スクリーン１に取り付けられている。
【００３４】
この遮煙スクリーン１の収納構造としては、例えば前述した巻取装置２ａによってロール状に巻取る構造（図３（ａ）参照）や、図７（ａ）および図７（ｂ）に示すように、セットバックして収納する構造を適用することが可能である。セットバック方式では、可動式ロール２２に接続されたワイヤ２３が巻取装置２４によって巻き取られることによって、図７（ｂ）に示すように、遮煙スクリーン１が二つ折りの状態で収納スペース２５に引き込まれる一方、巻取装置２４に設けたストッパによる係止が解除されてワイヤ２３が解放されることにより、遮煙スクリーン１が繰り出し可能な状態に変換される。巻取装置２４は例えばスイッチ操作により巻取動作を開始し、火災検知手段からの検知信号に基づいてワイヤ２３に対する係止を解除するようになっている。
【００３５】
また、第１内部空間１１から見て第２内部空間１２と反対方向に位置する他の内部空間（第１内部空間１１と隣接してなくともよい）１１Ａ、若しくは第１内部空間１１には、当該第１内部空間１１の煙および空気を排気するための開口が設けられている。同様に、第２内部空間１２から見て第１内部空間１１と反対方向に位置する他の内部空間（第２内部空間１２と隣接してなくともよい）１２Ａ、若しくは第２内部空間１２には、第２内部空間１２に外気（空気）を供給するための給気口が設けられている。給気口には、複数の可動式ベーンが配設され、それらベーンの傾斜角度を調整することによって空気の吹出方向が制御可能となっている。本実施形態では、開口部１０に向かう方向に空気の吹出方向が設定されている。
【００３６】
上記構成からなる遮煙・排煙システムによれば、例えば、第１内部空間１１から見て第２内部空間１２と反対方向に位置する他の内部空間１１Ａ、若しくは第１内部空間１１において火災が発生した際に、その火災の発生が火災検知手段によって検知され、その検知信号に基づいて、巻取装置２４のワイヤ２３に対する係止が解除された後、牽引部材３の巻取装置７が作動して、遮煙スクリーン１が収納スペース２５から引き出されることにより、図６（ａ）に示すように、開口部１０の予め設定された領域が遮煙スクリーン１によって閉塞される。なお、遮煙スクリーン１は、上述したように、緩やかに湾曲した形状或いは両端部が斜めに折曲した形状の骨部材２１が取り付けられているため、遮煙スクリーン１で開口部１０のほぼ全域を覆うようにした場合においても、遮煙スクリーン１の周縁部よりも中央部が第２内部空間１２側に膨出する状態にスクリーン全体が湾曲して、遮煙スクリーン１と、その左右の壁面或いは下方の床面との間に隙間Ｓが形成されることとなる。
【００３７】
また、第１内部空間１１において火災が発生した際には、上記検知信号に基づいて、排煙設備の排煙ダンパおよび給気設備の給気ダンパが開放されるとともに、制御装置によって給気ファンの作動が開始される。これにより、第２内部空間１２から見て第１内部空間１１と反対方向に位置する他の内部空間１２Ａ内、若しくは第２内部空間１２内に、給気口から外気（空気）が供給されて、第２内部空間１２から開口部１１の開放箇所Ｓを通って第１内部空間１１に向かう空気の流れが形成される。
【００３８】
このため、本実施形態の遮煙・排煙システムによれば、前述した第１の実施形態と同様、上記空気の流れによって、第１内部空間１１の煙が第２内部空間１２に侵入するのを阻止することができる。また、開口部１０の一部が開放された状態となるので、第１内部空間１１と第２内部空間１２との間の差圧が極端に大きくなって通行が困難になるような心配はなく、避難者は、遮煙スクリーン１の下方を潜り抜けたり、或いは側方を擦り抜けることによって、開口部１０を容易且つ安全に通行することができる。
【００３９】
さらに、本実施形態では、遮煙スクリーン１に、その周縁部よりも中央部を第２内部空間側に膨出させた状態で保持するための骨部材２１を取り付けるようにしたため、図６（ｂ）および図６（ｃ）に示すように、第２内部空間１２から第１内部空間１１に向かう空気をスムーズに流すことができ、遮煙スクリーン１に作用する気流の圧力を緩和することができる。
【００４０】
なお、図６の例では、開口や切欠部のない略矩形状の遮煙スクリーン１を用いるようにしたが、例えば図８に示すように、避難者が通り抜け可能な大きさの切欠部２６ａ，２６ｂ，２６ｃが予め形成された遮煙スクリーンを用いるようにしてもよい。切欠部の形状は、例えば三角形状、半円状或いは矩形状など、如何なる形状であってもよい。このような切欠部２６ａ，２６ｂ，２６ｃが形成された遮煙スクリーンを用いた場合には、開口部１０を通行する際に、避難者は遮煙スクリーンを捲り上げる必要がなくなり、例えば子供等を抱えていて両手が使えないような状況にあっても、速やかに開口部１０を通り抜けることができる。
【００４１】
また、例えば図９に示すように、下側部分が開閉自在な遮煙スクリーンを用いるようにしてもよい。図９の例では、遮煙スクリーン１の下側部分と牽引部材３とが切り離されていて、遮煙スクリーン１の下側部分を捲り上げることにより、或いはプルコードやボールチェーン等を使って遮煙スクリーン１の下側部分を巻き上げることによって、遮煙スクリーン１の下側部分を開放できるようになっている。このような構成によれば、切欠部が形成された遮煙スクリーンと同様に、避難者は速やかに開口部１０を通り抜けることができる。
【００４２】
また、以上の各実施形態では、巻取装置７で巻き取って牽引部材３を引張る構成としたが、手動により牽引部材３を引張るようにしてもよい。また、本実施形態では、煙感知器や熱感知器等の火災検知手段から出力される検知信号に基づいて上記巻取装置７が作動することにより、遮煙スクリーン１の繰り出し操作が行われる構成としたが、利用者のボタン操作等により上記巻取装置７が作動して遮煙スクリーン１の繰り出し操作が行われる構成とすることも可能である。
【００４３】
また、遮煙スクリーン１の近傍位置に、避難者の接近を検知するセンサを設置して、このセンサの検知信号に基づいて、遮煙スクリーン１の巻き上げ動作を開始する構成とすることも可能である。若しくは、遮煙スクリーン１の近傍位置に、避難者が所有する発信器から出力される信号を受信する受信器を設置して、発信器からの信号受信に基づいて、遮煙スクリーン１の巻き上げ動作を開始する構成とすることも可能である。このような構成によれば、避難者はより一層容易に開口部１０を通行することができ、車椅子等を利用していても、火災室から速やかに避難することができる。また、伸縮する部材で牽引部材３を構成するようにしたり、牽引部材３として、緊張力を調整可能な牽引部材を用いるようにしたり、或いは牽引部材３の長さを変える装置を設置するようにしてもよく、そうすることで、図１０に示すように、遮煙スクリーン１の下方に、車椅子や担架等が通過するためのスペースを容易に形成することができ、避難者の安全性をさらに向上させることができる。具体的に、緊張力を調整可能な牽引部材としては、例えば図１１に示すように、ある温度でコイル状或いは蛇腹状の形状を記憶させた形状記憶合金の針金３ａと普通の針金でできたコイルバネ３ｂを並列に組み合わせた構造の牽引部材を用いることが可能である。この牽引部材を用いる際には、形状記憶合金に記憶させた形状の長さを普通の針金でできたコイルバネ３ｂよりも長くしておく。そして、避難者の接近または通過の電気信号の受信により、電熱線等により形状記憶合金を所定の温度に制御し、コイルバネ３ｂの引張力に対抗するように形状記憶合金の形状復元力を働かせ、牽引部材の緊張力を低下させる。避難者の通過後は、電気を遮断して温度制御を解除し、形状記憶合金の形状復元力を無くし、上記牽引部材の緊張力を元の大きさにする。
また、上記牽引部材３の長さを変える装置としては、例えば図１２に示すように、上記牽引部材３の巻き取りをステップモータ２７で行い、避難者の接近または通過の電気信号の受信により、ステップモータ２７の回転度を所定の位置で制御する構造の装置を適用することが可能である。
【００４４】
また、以上の各実施形態では、牽引部材３により引張って遮煙スクリーン１を引き出す構成としたが、例えば、遮煙スクリーン１の下端部に複数のウェイトを一列に配置するようにしたり、或いは遮煙スクリーン１の繰り出し方向に沿って複数のウェイトを設けるようにして、自重により遮煙スクリーン１を下降させる構成とすることも可能である。この場合、ウェイトとして使用する部材は如何なるものであってもよく、例えば、火災時に水等の不燃材が注入されて膨らむチューブ状のウェイトを用いるようにしてもよい。このチューブ状のウェイトの場合、損傷して不燃材が漏れても火災を助長することが無いという利点がある。
【図面の簡単な説明】
【００４５】
【図１】本発明に係る遮煙・排煙システムの第１の実施形態を示すもので、（ａ）は遮煙スクリーンが繰り出される前の状態を示す正面図、（ｂ）は縦断面図である。
【図２】本発明に係る遮煙・排煙システムの第１の実施形態を示すもので、（ａ）は遮煙スクリーンが繰り出された後の状態を示す正面図、（ｂ）は縦断面図である。
【図３】天井部に遮煙スクリーンを収納する場合の収納構造例１を示す概略構成図である。
【図４】天井部に遮煙スクリーンを収納する場合の収納構造例２を示す概略構成図である。
【図５】床下部に遮煙スクリーンを収納する場合の収納構造例を示す概略構成図である。
【図６】本発明に係る遮煙・排煙システムの第２の実施形態を示すもので、（ａ）は遮煙スクリーンが繰り出された後の状態を示す正面図、（ｂ）は（ａ）のＡ−Ａ線に沿った断面図、（ｃ）は（ｂ）の変形例を示す断面図である。
【図７】図６の遮煙・排煙システムの縦断面図で、（ａ）は遮煙スクリーンが繰り出された後の状態、（ｂ）は遮煙スクリーンが繰り出される前の状態をそれぞれ示している。
【図８】遮煙スクリーンの変形例を示す図である。
【図９】遮煙スクリーンのその他の変形例を示す図である。
【図１０】牽引部材の変形例を示すもので、（ａ）は正面図、（ｂ）は縦断面図である。
【図１１】緊張力を調整可能な牽引部材の一例を示す図である。
【図１２】牽引部材の長さを変える装置の一例を示す図である。
【符号の説明】
【００４６】
１    遮煙スクリーン
２    収納部
３    牽引部材
１０  開口部
１１  第１内部空間
１２  第２内部空間
２１  骨部材
２６ａ，２６ｂ，２６ｃ  切欠部
【図１】
2006158584.tif 000003
【図２】
2006158584.tif 000004
【図３】
2006158584.tif 000005
【図４】
2006158584.tif 000006
【図５】
2006158584.tif 000007
【図６】
2006158584.tif 000008
【図７】
2006158584.tif 000009
【図８】
2006158584.tif 000010
【図９】
2006158584.tif 000011
【図１０】
2006158584.tif 000012
【図１１】
2006158584.tif 000013
【図１２】
2006158584.tif 000014